(57)【要約】  車両の電源装置は、蓄電装置（４）と、車両外部から電力ケーブルが接続可能なコネクタ（３４）と、回転電機を運転するためのインバータ（２）と、回転電機のステータコイルとは別に設けられたコイル（Ｌ１；Ｌ２；Ｌ１２)と、蓄電装置、コネクタ、インバータ及びコイルの接続関係を切換える接続切換部（３；３Ａ；３Ｂ；３Ｃ）とを含む。接続切換部は、第１の動作モードでは、コイルを使用せずに蓄電装置の電力がインバータに供給され回転電機を駆動可能なように接続関係が設定され、第２の動作モードでは、コイルおよびインバータを使用して電圧変換回路を構成しコネクタの電圧と蓄電装置の電圧との間で電圧変換が可能なように接続関係が設定される。
2012157116.tif 000002
【特許請求の範囲】
【請求項１】
蓄電装置（４）と、
車両外部から電力ケーブルが接続可能なコネクタ（３４）と、
回転電機を運転するためのインバータ（２）と、
前記回転電機のステータコイルとは別に設けられたコイル（Ｌ１；Ｌ２；Ｌ１２）と、
前記蓄電装置、前記コネクタ、前記インバータ及び前記コイルの接続関係を切換える接続切換部（３；３Ａ；３Ｂ；３Ｃ）とを備え、
前記接続切換部は、第１の動作モードでは、前記コイルを使用せずに前記蓄電装置の電力が前記インバータに供給され前記回転電機を駆動可能なように接続関係が設定され、第２の動作モードでは、前記コイルおよび前記インバータを使用して電圧変換回路を構成し前記コネクタの電圧と前記蓄電装置の電圧との間で電圧変換が可能なように接続関係が設定される、車両の電源装置。
【請求項２】
前記インバータに電力を供給する正電力線（ＰＬ２）および負電力線（ＮＬ２）をさらに備え、
前記インバータは、
前記正電力線と前記負電力線との間に並列的に接続される複数相のアーム（ＵＡ，ＶＡ，ＷＡ）を含み、
前記複数相のアームの各々は、
前記正電力線と前記負電力線との間に直列に接続される第１および第２のスイッチング素子（１１〜１６）を有し、
前記接続切換部は、前記第２の動作モードにおいて導通すると、前記コイルの一方端が前記複数相のアームのうちの第１アーム（ＷＡ；ＶＡ）の前記第１および第２のスイッチング素子（１５，１６；１３，１４）の中間ノード（Ｎ３；Ｎ２）に接続され、前記コイルの他方端が前記蓄電装置または前記コネクタに接続された状態となる第１のスイッチ（ＲＢ１；ＲＣ１）を含み、
前記第１のスイッチが、前記第１の動作モードにおいて非導通となると、前記コイルは前記電圧変換回路を構成しない状態となる、請求項１に記載の車両の電源装置。
【請求項３】
前記第１のスイッチ（ＲＢ１）は、前記コイル（Ｌ１）の他方端と前記蓄電装置の正極（ＰＬ４）との間に設けられ、
前記接続切換部（３）は、
前記正電力線と前記蓄電装置の正極との間に設けられる第２のスイッチ（ＲＡ１）をさらに含み、
前記車両の電源装置は、
前記第１の動作モードにおいて前記第１のスイッチをオフ状態に制御するとともに前記第２のスイッチをオン状態に制御し、前記第２の動作モードにおいて前記第１のスイッチをオン状態に制御するとともに前記第２のスイッチをオフ状態に制御する制御装置（３０）をさらに備える、請求項２に記載の車両の電源装置。
【請求項４】
前記接続切換部（３）は、
前記正電力線と前記コネクタの正極端子との間に設けられた第３のスイッチ（ＲＢ２）と、
前記負電力線と前記コネクタの負極端子との間に設けられた第４のスイッチ（ＲＢ３）とをさらに含み、
前記制御装置（３０）は、前記第２の動作モードにおいて前記第３および第４のスイッチを導通させる、請求項３に記載の車両の電源装置。
【請求項５】
前記第１のスイッチ（ＲＣ１）は、前記コイルの他方端と前記コネクタの正極端子（ＰＬ３）との間に設けられ、
前記車両の電源装置は、
前記第１の動作モードにおいて前記第１のスイッチをオフ状態に制御し、前記第２の動作モードにおいて前記第１のスイッチをオン状態に制御する制御装置（３０Ａ）をさらに備える、請求項２に記載の車両の電源装置。
【請求項６】
前記接続切換部（３Ａ）は、
前記負電力線と前記コネクタの負極端子との間に設けられた第２のスイッチ（ＲＢ３）をさらに含み、
前記制御装置（３０Ａ）は、前記第２の動作モードにおいて前記第２のスイッチを導通させる、請求項５に記載の車両の電源装置。
【請求項７】
前記車両の電源装置は、
前記接続切換部（３Ｂ，３Ｃ）を制御する制御装置（３０Ｂ，３０Ｃ）をさらに備え、
前記制御装置は、前記コネクタの電圧と前記蓄電装置の電圧とに基づいて前記電圧変換回路を昇圧回路として動作させるか降圧回路として動作させるかを切換える、請求項１に記載の車両の電源装置。
【請求項８】
前記制御装置（３０Ｂ）は、前記コネクタの電圧と前記蓄電装置の電圧とに基づいて、前記コイル（Ｌ１２）および前記インバータ（２）を用いて前記昇圧回路を形成するか前記降圧回路を形成するかを切換える、請求項７に記載の車両の電源装置。
【請求項９】
前記車両の電源装置は、
前記回転電機のステータコイルおよび前記コイル（Ｌ１）とは別に設けられた第２のコイル（Ｌ２）と、
前記インバータに電力を供給する正電力線（ＰＬ２）および負電力線（ＮＬ２）とをさらに備え、
前記インバータは、
前記正電力線と前記負電力線との間に並列的に接続される複数相のアーム（ＵＡ，ＶＡ，ＷＡ）を含み、
前記複数相のアームの各々は、
前記正電力線と前記負電力線との間に直列に接続される第１および第２のスイッチング素子（１１〜１６）を有し、
前記接続切換部は、
前記第２の動作モードにおいて導通すると、前記コイル（Ｌ１）の一方端が前記複数相のアームのうちの第１アーム（ＷＡ）の前記第１および第２のスイッチング素子の中間ノード（Ｎ３）に接続され、前記コイルの他方端が前記蓄電装置に接続された状態となる第１のスイッチ（ＲＢ１）と、
前記第２の動作モードにおいて導通すると、前記第２のコイル（Ｌ２）の一方端が前記複数相のアームのうちの第２アーム（ＶＡ）の前記第１および第２のスイッチング素子の中間ノード（Ｎ２）に接続され、前記第２のコイルの他方端が前記コネクタに接続された状態となる第２のスイッチ（ＲＣ１）とを含み、
前記第１および第２のスイッチ（ＲＢ１，ＲＣ１）は、前記第１の動作モードにおいて非導通となると、前記コイルおよび前記第２のコイルには電流が流れない状態となる、請求項７に記載の車両の電源装置。
【発明の詳細な説明】
【技術分野】
【０００１】
この発明は、車両の電源装置に関し、特に車両外部に対して電力供給が可能または車両外部から充電が可能な車両の電源装置に関する。
【背景技術】
【０００２】
温室効果ガスの削減のため、電気自動車／プラグイン・ハイブリッド自動車が注目を浴びている。これらの車両が普及するためには、部品点数を減らしてコストダウンを図ることが必要である。また、部品点数を減らすことは車両重量の軽量化によってエネルギ効率を改善する点からも重要である。【０００３】
特開平０６−２１７４１６号公報（特許文献１）は、電気自動車の車載インバータを外部充電時の電力変換器（降圧チョッパ回路）として利用し車載バッテリを充電する再構成可能なインバータ装置を開示している。これにより、外部充電時の電力変換器を追加するよりも部品点数を減らすことができる。
【先行技術文献】
【特許文献】
【０００４】
【特許文献１】特開平０６−２１７４１６号公報
【特許文献２】特開平０９−０６５６６６号公報
【発明の概要】
【発明が解決しようとする課題】
【０００５】
近年、電気自動車／プラグイン・ハイブリッド自動車を一部に組み込んだスマートグリッドについても検討されている。【０００６】
スマートグリッドでは、電気自動車／プラグイン・ハイブリッド自動車の充電を電力事業者の発電電力量に余剰がある時間帯に行ない、電気自動車／プラグイン・ハイブリッド自動車から電力需要のピーク時に放電させる。【０００７】
また、太陽光発電や風力発電のような、地上で得られる自然エネルギから発電する電力をコンセントに接続された電気自動車等の蓄電池に充電することも検討されている。【０００８】
このような用途に電気自動車／プラグイン・ハイブリッド自動車を使用する場合、外部の電圧と蓄電池の電圧の大小によって充電回路または放電回路を選定する必要がある。【０００９】
この発明の目的は、部品点数の増加を抑えつつ外部からの充電または外部への電力供給を可能とする車両の電源装置を提供することである。
【課題を解決するための手段】
【００１０】
この発明は、要約すると、車両の電源装置であって、蓄電装置と、車両外部から電力ケーブルが接続可能なコネクタと、回転電機を運転するためのインバータと、回転電機のステータコイルとは別に設けられたコイルと、蓄電装置、コネクタ、インバータ及びコイルの接続関係を切換える接続切換部とを含む。接続切換部は、第１の動作モードでは、コイルを使用せずに蓄電装置の電力がインバータに供給され回転電機を駆動可能なように接続関係が設定され、第２の動作モードでは、コイルおよびインバータを使用して電圧変換回路を構成しコネクタの電圧と蓄電装置の電圧との間で電圧変換が可能なように接続関係が設定される。【００１１】
好ましくは、車両の電源装置は、インバータに電力を供給する正電力線および負電力線をさらに含む。インバータは、正電力線と負電力線との間に並列的に接続される複数相のアームを含む。複数相のアームの各々は、正電力線と負電力線との間に直列に接続される第１および第２のスイッチング素子を有する。接続切換部は、第２の動作モードにおいて導通すると、コイルの一方端が複数相のアームのうちの第１アームの第１および第２のスイッチング素子の中間ノードに接続され、コイルの他方端が蓄電装置またはコネクタに接続された状態となる第１のスイッチを含む。第１のスイッチが、第１の動作モードにおいて非導通となると、コイルは電圧変換回路を構成しない状態となる。【００１２】
より好ましくは、第１のスイッチは、コイルの他方端と蓄電装置の正極との間に設けられ、接続切換部は、正電力線と蓄電装置の正極との間に設けられる第２のスイッチをさらに含む、車両の電源装置は、第１の動作モードにおいて第１のスイッチをオフ状態に制御するとともに第２のスイッチをオン状態に制御し、第２の動作モードにおいて第１のスイッチをオン状態に制御するとともに第２のスイッチをオフ状態に制御する制御装置をさらに含む。【００１３】
さらに好ましくは、接続切換部は、正電力線とコネクタの正極端子との間に設けられた第３のスイッチと、負電力線とコネクタの負極端子との間に設けられた第４のスイッチとをさらに含む、制御装置は、第２の動作モードにおいて第３および第４のスイッチを導通させる。【００１４】
より好ましくは、第１のスイッチは、コイルの他方端とコネクタの正極端子との間に設けられる。車両の電源装置は、第１の動作モードにおいて第１のスイッチをオフ状態に制御し、第２の動作モードにおいて第１のスイッチをオン状態に制御する制御装置をさらに含む。【００１５】
さらに好ましくは、接続切換部は、負電力線とコネクタの負極端子との間に設けられた第２のスイッチをさらに含む。制御装置は、第２の動作モードにおいて第２のスイッチを導通させる。【００１６】
好ましくは、車両の電源装置は、接続切換部を制御する制御装置をさらに含む。制御装置は、コネクタの電圧と蓄電装置の電圧とに基づいて電圧変換回路を昇圧回路として動作させるか降圧回路として動作させるかを切換える。【００１７】
より好ましくは、制御装置は、コネクタの電圧と蓄電装置の電圧とに基づいて、コイルおよびインバータを用いて昇圧回路を形成するか降圧回路を形成するかを切換える。【００１８】
より好ましくは、車両の電源装置は、回転電機のステータコイルおよびコイルとは別に設けられた第２のコイルと、インバータに電力を供給する正電力線および負電力線とをさらに含む。インバータは、正電力線と負電力線との間に並列的に接続される複数相のアームを含む。複数相のアームの各々は、正電力線と負電力線との間に直列に接続される第１および第２のスイッチング素子を有する。接続切換部は、第２の動作モードにおいて導通すると、コイルの一方端が複数相のアームのうちの第１アームの第１および第２のスイッチング素子の中間ノードに接続され、コイルの他方端が蓄電装置に接続された状態となる第１のスイッチと、第２の動作モードにおいて導通すると、第２のコイルの一方端が複数相のアームのうちの第２アームの第１および第２のスイッチング素子の中間ノードに接続され、第２のコイルの他方端がコネクタに接続された状態となる第２のスイッチとを含む。第１および第２のスイッチは、第１の動作モードにおいて非導通となると、コイルおよび第２のコイルには電流が流れない状態となる。
【発明の効果】
【００１９】
本発明によれば、部品点数の増加を抑えつつ外部からの充電または外部への電力供給を可能とする車両の電源装置を提供することができる。
【図面の簡単な説明】
【００２０】
【図１】本発明の車両の電源装置が接続された電力システムの構成を示した回路図である。
【図２】実施の形態１の車両の電源装置の構成を示した回路図である。
【図３】図２の制御装置３０が実行する制御を説明するためのフローチャートである。
【図４】実施の形態２の車両の電源装置の構成を示した回路図である。
【図５】実施の形態３の車両の電源装置の第１の例の構成を示した回路図である。
【図６】実施の形態３の車両の電源装置の第２の例の構成を示した回路図である。
【図７】図６の制御装置３０Ｃが実行する制御を説明するためのフローチャートである。
【図８】電力を大容量化するための第１の変形例の構成を示した回路図である。
【図９】電力を大容量化するための第２の変形例の構成を示した回路図である。
【図１０】電力を大容量化するための第３の変形例の構成を示した回路図である。
【発明を実施するための形態】
【００２１】
以下、本発明の実施の形態について図面を参照して詳しく説明する。なお、図中同一または相当部品には同一の符号を付してそれらについての説明は繰返さない。
【００２２】
図１は、本発明の車両の電源装置が接続された電力システムの構成を示した回路図である。
【００２３】
図１を参照して、この電力システムは、太陽電池または蓄電池（以下、単に、「電池」という）１０６と、商用交流電源１０２と電池１０６との間に設けられるパワーコンディショナー１０４とを含む。
【００２４】
パワーコンディショナー１０４は、商用交流電源１０２に二次側が接続されるＡＣトランス１２２と、ＡＣトランス１２２の一次側に接続されるＰＶ−インバータ１２４と、ＰＶ−インバータ１２４をそれぞれ電力線ＰＬ，ＮＬに接続するリレー１３０，１３２と、電力線ＰＬと電力線ＮＬとの間に接続されるコンデンサ１２８とを含む。コンデンサ１２８の電圧、つまり電力線ＰＬと電力線ＮＬとの間の電圧を電圧ＶＨと呼ぶことにする。
【００２５】
パワーコンディショナー１０４は、さらに、電池１０６の電圧と電圧ＶＨとの間で電圧変換を行なうＰＶ−コンバータ１２６を含む。電池１０６が太陽電池の場合には、ＰＶ−コンバータ１２６は電池１０６の電圧をたとえば２００Ｖから４００Ｖに昇圧して電力線ＰＬ，ＮＬに出力する。
【００２６】
電力線ＰＬ，ＮＬには、コネクタ１３４が接続されている。コネクタ１３４は、車両１と直流の電力を授受するための接続点である。車両の電池４に充電を行なう場合には、コネクタ１３４からは電圧ＶＨが車両に供給される直流リンク電圧Ｖｄｃとして出力される。また車両の電池４から電力を取り出す場合には、コネクタ１３４には、車両から直流リンク電圧Ｖｄｃが入力される。
【００２７】
車両１は、後に詳細は説明するが、充放電可能な電池４を含む車両の電源装置１０を搭載している。車両の電源装置１０から電力供給を受けてインバータが走行用モータ８を駆動する。
【００２８】
本実施の形態では、モータ８を駆動するインバータをコネクタ１３４と電池４の間に配置し、電池４への車両外部からの充電や電池４から車両外部への電力供給のための電力変換に使用する。
【００２９】
このときモータ８をインバータから完全に切り離してインバータを電圧変換回路に組み替えるためには多数のスイッチ（またはリレー）が必要になる。この場合、追加コストが大きくなる。
【００３０】
さらに、スイッチ故障時には、モータとインバータが接続されない状態で固定されてしまうことも考えられ走行できなくなる恐れもある。したがって、モータとインバータとの接続経路にはスイッチを設けないほうが望ましい。
【００３１】
［実施の形態１］
図２は、実施の形態１の車両の電源装置の構成を示した回路図である。実施の形態１の車両の電源装置は、車載の電池の電圧Ｖｂが図１の直流リンク電圧Ｖｄｃよりも低い場合に用いられる。
【００３２】
図２を参照して、車両１は、車両の電源装置１０と、車両の電源装置１０から電力供給を受けるモータ８と、モータ８の回転に伴って回転する車輪７とを含む。
【００３３】
車両の電源装置１０は、図１のコネクタ１３４に接続するためのコネクタ３４と、コネクタ３４に接続された電力線ＰＬ３，ＮＬ３を電力線ＰＬ２，ＮＬ２にそれぞれ接続するためのリレーＲＢ２，ＲＢ３と、電力線ＰＬ２，ＮＬ２に接続されたインバータ２とを含む。
【００３４】
車両の電源装置１０は、さらに、電力線ＰＬ２，ＮＬ２を電力線ＰＬ４，ＮＬ４にそれぞれ接続するためのリレーＲＡ１，ＲＡ２と、電力線ＰＬ４，ＮＬ４がそれぞれ正極、負極に接続された電池４とを含む。電池４は、たとえばニッケル水素またはリチウムイオン等の二次電池である。
【００３５】
インバータ２は、電力線ＰＬ２，ＮＬ２から直流電源電圧を受けて交流モータ８を駆動する。また、インバータ２は、回生制動に伴い交流モータ８において発電された電力を電力線ＰＬ２，ＮＬ２を介して電池４に戻す。
【００３６】
交流モータ８は、車両の駆動輪７を駆動するためのトルクを発生するモータである。このモータは、たとえばハイブリッド自動車に搭載される場合には、エンジンによって駆動される発電機の性能を持ち、かつ、エンジンに対して電動機として動作しエンジンの始動を行ない得るようなものであってもよい。
【００３７】
インバータ２は、電力線ＰＬ２，ＮＬ２間に並列に接続されるＵ相アームＵＡと、Ｖ相アームＶＡと、Ｗ相アームＷＡとを含む。
【００３８】
Ｕ相アームＵＡは、電力線ＰＬ２，ＮＬ２間に直列接続されたスイッチング素子１１，１２と、スイッチング素子１１，１２とそれぞれ逆並列に接続されるダイオード２１，２２とを含む。Ｖ相アームＶＡは、電力線ＰＬ２，ＮＬ２間に直列接続されたスイッチング素子１３，１４と、スイッチング素子１３，１４とそれぞれ逆並列に接続されるダイオード２３，２４とを含む。Ｗ相アームＷＡは、電力線ＰＬ２，ＮＬ２間に直列接続されたスイッチング素子１５，１６と、スイッチング素子１５，１６とそれぞれ逆並列に接続されるダイオード２５，２６とを含む。
【００３９】
スイッチング素子１１，１２の接続ノードＮ１はモータ８のＵ相コイルの一方端に接続される。スイッチング素子１３，１４の接続ノードＮ２はモータ８のＶ相コイルの一方端に接続される。スイッチング素子１５，１６の接続ノードＮ３はモータ８の図示しないＷ相コイルの一方端に接続される。Ｕ相コイル，Ｖ相コイル，Ｗ相コイルの各他方端は中性点に共に結合される。
【００４０】
なお、スイッチング素子１１〜１６としては、たとえばＩＧＢＴ素子やパワーＭＯＳＦＥＴ等を用いることができる。
【００４１】
車両の電源装置１０は、さらに、ノードＮ３と電力線ＰＬ４との間に直列に接続されたコイルＬ１およびリレーＲＢ１を含む。リレーＲＢ１は電池４と車両外部との間で電力授受を行なうときに導通する。コイルＬ１とＷ相アームＷＡとによって、電圧コンバータが構成される。
【００４２】
リレーＲＡ１，ＲＡ２，ＲＢ１〜ＲＢ３は、制御装置３０から制御信号を受けて電池４、コネクタ３４、インバータ２及びコイルＬ１の接続関係を切換える接続切換部３を構成する。
【００４３】
このように、コイルＬ１と直列にスイッチとして働くリレーＲＢ１を設けているので、スイッチＯＦＦの状態とすればコイルＬ１には電流が流れなくなる。この場合にはインバータ２は通常通りモータ８を駆動するように制御を行なう。
【００４４】
一方、リレーＲＢ１をスイッチＯＮさせる場合には、リレーＲＡ１をＯＦＦ状態に制御し、リレーＲＢ２，ＲＢ３，ＲＡ２をＯＮ状態に制御する。この状態で、スイッチング素子１５，１６を相補的にＯＮ・ＯＦＦさせるデューティー比を適宜調整することで、電力線ＰＬ４−ＮＬ４間電圧（電池４の電圧）とコネクタ３４の電力線ＰＬ３−ＮＬ３間電圧との間でＤＣ／ＤＣ電圧変換を行なうことが可能となる。また、車両側のインバータ２の一部を使用して電圧変換を行なうことができるので、そのような回路を外部充電設備側に設けなくても良く、外部充電設備を低コストでかつ安全性高く設置することができる。このときスイッチング素子１１〜１４をＯＦＦ状態に固定しておけば、モータ８をインバータと切り離さなくてもモータ８のステータコイルにモータ８のトルクを発生する電流は流れない。したがって、モータ８をインバータ２と切り離すためのスイッチは設けなくてもよく、部品点数削減のために有利である。なお、ノードＮ３とＷ相コイルとを接続する経路上にさらにリレーを追加して設けて、Ｗ相コイルをノードＮ３から切り離すことができる構成としても良い。
【００４５】
図３は、図２の制御装置３０が実行する制御を説明するためのフローチャートである。  図２、図３を参照して、車両がスタートスイッチなどで起動されると、このフローチャートの処理の実行が開始される。スタートスイッチを押すと車両が起動し車両の操作パネル部にＲｅａｄｙという文字表示ランプが点灯するＲｅａｄｙ−ＯＮ状態となる。この状態では、車両が走行可能となる。
【００４６】
まずステップＳ１において、制御装置３０は、リレーＲＡ２をオン状態に制御する。続いてステップＳ２において、制御装置３０は、車両の動作モードは走行モードか否かを判断する。動作モードを判断する方法は種々考えられるが、たとえば、ユーザがモードを指定するスイッチが設けられていて、そのスイッチの設定を読み取るのでも良いし、コネクタ３４への接続が有る場合には充電モード、無い場合には走行モードであると判断しても良いし、さらにコネクタ３４への接続の有無に加えて車両のシフトレンジがパーキングレンジであるか否かを組合せて判断しても良い。
【００４７】
ステップＳ２において、動作モードが走行モードであると判断された場合にはステップＳ３に処理が進み、走行モードでないと判断された場合にはステップＳ５に処理が進む。
【００４８】
ステップＳ３に処理が進んだ場合、リレーＲＡ１がオン状態に制御され、続いてステップＳ４において走行モードの制御を制御装置３０は実行する。走行モードの制御では、たとえば、インバータ２の各相アームをＰＷＭ制御によりオン・オフさせ、モータ８を回転させる。
【００４９】
ステップＳ２からステップＳ５に処理が進んだ場合、ステップＳ５では、動作モードがＤＣ充放電モードであるか否かが判断される。
【００５０】
ステップＳ５において、動作モードがＤＣ充放電モードであると判断された場合にはステップＳ６に処理が進み、ＤＣ充放電モードでないと判断された場合にはステップＳ９に処理が進む。
【００５１】
ステップＳ６に処理が進んだ場合、リレーＲＢ１がオン状態に制御され、続いてステップＳ７においてリレーＲＢ２およびリレーＲＢ３がオン状態に制御される。そして、ステップＳ８において制御装置３０はＤＣ充放電モードの制御を実行する。ＤＣ充放電モードの制御では、たとえば、電池４の電圧を昇圧してコネクタ３４から出力したり、コネクタ３４に受電した電圧を降圧して電池４を充電したりするように、インバータ２のＷ相アームＷＡのスイッチング素子１５、１６を相補的にオン・オフさせる。なおスイッチング素子１５，１６は必ずしも相補的にオン・オフさせる必要はなく、一方のみオン・オフさせ、他方は逆並列に接続されているダイオードによって電流を流すようにしても良い。
【００５２】
なお、ステップＳ５からステップＳ９に処理が進んだ場合には、マイルームモードの制御が実行される。マイルームモードは、走行せず外部に充放電しない状態でオーディオ機器やエアコンなどの補機が使用可能に設定される。
【００５３】
ステップＳ４，Ｓ８，Ｓ９のいずれかの処理が終了すると、ステップＳ１０においてこのフローチャートの処理は終了となる。
【００５４】
以上説明したように、実施の形態１の車両の電源システムは、図２に示したように、車両外部に充放電するためのコネクタ３４への引き出しポイントを電力線ＰＬ２，ＮＬ２とし、これらにコネクタ３４を接続させるためのリレーＲＢ２，ＲＢ３を設けた。
【００５５】
さらに、ＤＣ充放電時に、電池４の正極側電力線ＰＬ４を走行用のインバータ２の３相アームのうちの１つであるＷ相アームＷＡの中間ノードＮ３にコイルＬ１を介して接続した。
【００５６】
この構成では、モータ８をインバータ２と切り離すためのスイッチは設けなくてもよく、部品点数削減のために有利である。
【００５７】
また、車両側のインバータ２の一部を使用して電圧変換を行なうことができるので、そのような回路を外部充電設備側に設けなくても良く、外部充電設備を低コストでかつ安全性高く設置することができる。
【００５８】
［実施の形態２］
図４は、実施の形態２の車両の電源装置の構成を示した回路図である。実施の形態２の車両の電源装置は、車載の電池の電圧Ｖｂが図１の直流リンク電圧Ｖｄｃよりも高い場合に用いられる。
【００５９】
図４を参照して、車両の電源装置１０Ａは、図１のコネクタ１３４に接続するためのコネクタ３４と、コネクタ３４に接続された電力線ＮＬ３を電力線ＮＬ２に接続するためのリレーＲＢ３と、電力線ＰＬ２，ＮＬ２に接続されたインバータ２とを含む。インバータ２の構成については、図２において説明しているので、説明は繰返さない。
【００６０】
車両の電源装置１０Ａは、さらに、電力線ＰＬ２，ＮＬ２を電力線ＰＬ４，ＮＬ４にそれぞれ接続するためのリレーＲＡ１，ＲＡ２と、電力線ＰＬ４，ＮＬ４がそれぞれ正極、負極に接続された電池４とを含む。電池４は、たとえばニッケル水素またはリチウムイオン等の二次電池である。
【００６１】
車両の電源システムは、さらに、Ｖ相アームＶＡの中間ノードＮ２に一方端が接続されるコイルＬ２と、コイルＬ２の他方端と電力線ＰＬ３との間に接続されるリレーＲＣ１とを含む。
【００６２】
リレーＲＡ１，ＲＡ２，ＲＢ３，ＲＣ１は、制御装置３０Ａから制御信号を受けて電池４、コネクタ３４、インバータ２及びコイルＬ２の接続関係を切換える接続切換部３Ａを構成する。
【００６３】
図４の車両の電源装置１０Ａでは、走行用インバータ２とコイルＬ２によって構成される電圧変換回路が電池４からコネクタ３４に電圧を降圧して供給する。
【００６４】
このように、実施の形態２によれば、電池電圧Ｖｂ＞Ｖｄｃである場合において、実施の形態１と同様な効果を得ることができる。
【００６５】
［実施の形態３］
実施の形態３の車両の電源装置は、車載の電池の電圧Ｖｂが図１の直流リンク電圧Ｖｄｃよりも高い場合にも、車載の電池の電圧Ｖｂが図１の直流リンク電圧Ｖｄｃよりも低い場合にも用いることができる。
【００６６】
図５は、実施の形態３の車両の電源装置の第１の例の構成を示した回路図である。
図５を参照して、車両の電源装置１０Ｂは、図１のコネクタ１３４に接続するためのコネクタ３４と、コネクタ３４に接続された電力線ＰＬ３，ＮＬ３を電力線ＰＬ２，ＮＬ２にそれぞれ接続するためのリレーＲＢ２，ＲＢ３と、電力線ＰＬ２，ＮＬ２に接続されたインバータ２とを含む。インバータ２の構成については、図２において説明しているので、説明は繰返さない。
【００６７】
車両の電源装置１０Ｂは、さらに、電力線ＰＬ２，ＮＬ２を電力線ＰＬ４，ＮＬ４にそれぞれ接続するためのリレーＲＡ１，ＲＡ２と、電力線ＰＬ４，ＮＬ４がそれぞれ正極、負極に接続された電池４とを含む。電池４は、たとえばニッケル水素またはリチウムイオン等の二次電池である。
【００６８】
車両の電源装置１０は、さらに、ノードＮ３と電力線ＰＬ４との間に直列に接続されたコイルＬ１２およびリレーＲＢ１と、コイルＬ１２とリレーＲＢ１の接続ノードと電力線ＰＬ３との間に設けられたリレーＲＣ１とを含む。コイルＬ１２とＷ相アームＷＡとによって、電圧コンバータが構成される。リレーＲＢ１は、Ｖｂ＜Ｖｄｃの場合に電池４と車両外部との間で電力授受を行なうときに導通する。リレーＲＣ１は、Ｖｂ＞Ｖｄｃの場合に電池４と車両外部との間で電力授受を行なうときに導通する。
【００６９】
リレーＲＡ１，ＲＡ２，ＲＢ１〜ＲＢ３，ＲＣ１は、制御装置３０Ｂから制御信号を受けて電池４、コネクタ３４、インバータ２及びコイルＬ２の接続関係を切換える接続切換部３Ｂを構成する。図示しないが、制御装置３０Ｂは、電池４の電圧Ｖｂを検出する電圧センサとコネクタ３４に入力される直流リンク電圧Ｖｄｃを検出する電圧センサから電圧Ｖｂ，Ｖｄｃの測定値を受けてこれらの大小関係を判断し、これに応じて接続切換部３Ｂを切換えて電源装置の回路構成を変更している。なお、電圧センサから測定値が入力されなくても、設定スイッチなどにより制御装置３０Ｂに電圧Ｖｂ，Ｖｄｃの値が入力されても良い。
【００７０】
図４の車両の電源装置１０Ｂでは、電池電圧Ｖｂ＜Ｖｄｃである場合に、走行用インバータ２とコイルＬ１２によって構成される電圧変換回路が電池４からコネクタ３４に電圧を昇圧して供給する。
【００７１】
また、車両の電源装置１０Ｂでは、電池電圧Ｖｂ＞Ｖｄｃである場合に、走行用インバータ２とコイルＬ１２によって構成される電圧変換回路が電池４からコネクタ３４に電圧を降圧して供給する。
【００７２】
図６は、実施の形態３の車両の電源装置の第２の例の構成を示した回路図である。
図６を参照して、車両の電源装置１０Ｃは、図１のコネクタ１３４に接続するためのコネクタ３４と、コネクタ３４に接続された電力線ＰＬ３，ＮＬ３を電力線ＰＬ２，ＮＬ２にそれぞれ接続するためのリレーＲＢ２，ＲＢ３と、電力線ＰＬ２，ＮＬ２に接続されたインバータ２とを含む。インバータ２の構成については、図２において説明しているので、説明は繰返さない。
【００７３】
車両の電源装置１０Ｃは、さらに、電力線ＰＬ２，ＮＬ２を電力線ＰＬ４，ＮＬ４にそれぞれ接続するためのリレーＲＡ１，ＲＡ２と、電力線ＰＬ４，ＮＬ４がそれぞれ正極、負極に接続された電池４とを含む。電池４は、たとえばニッケル水素またはリチウムイオン等の二次電池である。
【００７４】
車両の電源装置１０Ｃは、さらに、ノードＮ３と電力線ＰＬ４との間に直列に接続されたコイルＬ１およびリレーＲＢ１と、ノードＮ２と電力線ＰＬ３との間に直列に接続されたコイルＬ２およびリレーＲＣ１と、電力線ＰＬ３の電流を検出する電流センサ２０２とを含む。
【００７５】
コイルＬ１とＷ相アームＷＡとによって、第１の電圧コンバータが構成される。コイルＬ２とＶ相アームＶＡとによって、第２の電圧コンバータが構成される。
【００７６】
リレーＲＢ１は、Ｖｂ＜Ｖｄｃの場合に電池４と車両外部との間で電力授受を行なうときに導通する。リレーＲＣ１は、Ｖｂ＞Ｖｄｃの場合に電池４と車両外部との間で電力授受を行なうときに導通する。
【００７７】
リレーＲＡ１，ＲＡ２，ＲＢ１〜ＲＢ３，ＲＣ１は、制御装置３０Ｃから制御信号を受けて電池４、コネクタ３４、インバータ２及びコイルＬ２の接続関係を切換える接続切換部３Ｃを構成する。図示しないが、制御装置３０Ｃは、電池４の電圧Ｖｂを検出する電圧センサとコネクタ３４に入力される直流リンク電圧Ｖｄｃを検出する電圧センサから電圧Ｖｂ，Ｖｄｃの測定値を受けてこれらの大小関係を判断し、これに応じて接続切換部３Ｃを切換えて電源装置の回路構成を変更している。なお、電圧センサから測定値が入力されなくても、設定スイッチなどにより制御装置３０Ｃに電圧Ｖｂ，Ｖｄｃの値が入力されても良い。
【００７８】
図６の車両の電源装置１０Ｃでは、電池電圧Ｖｂ＜Ｖｄｃである場合に、走行用インバータ２とコイルＬ１によって構成される電圧変換回路が電池４からコネクタ３４に電圧を昇圧して供給する。
【００７９】
また、車両の電源装置１０Ｃでは、電池電圧Ｖｂ＞Ｖｄｃである場合に、走行用インバータ２とコイルＬ２によって構成される電圧変換回路が電池４からコネクタ３４に電圧を降圧して供給する。
【００８０】
図７は、図６の制御装置３０Ｃが実行する制御を説明するためのフローチャートである。図６、図７を参照して、車両がスタートスイッチなどで起動されると、このフローチャートの処理の実行が開始される。スタートスイッチを押すと車両が起動し車両の操作パネル部にＲｅａｄｙという文字表示ランプが点灯するＲｅａｄｙ−ＯＮ状態となる。この状態では、車両が走行可能となる。
【００８１】
まずステップＳ２１において、制御装置３０Ａは、リレーＲＡ２をオン状態に制御する。続いてステップＳ２２において、制御装置３０Ａは、車両の動作モードは走行モードか否かを判断する。動作モードを判断する方法は種々考えられるが、たとえば、ユーザがモードを指定するスイッチが設けられていて、そのスイッチの設定を読み取るのでも良いし、コネクタ３４への接続が有る場合には充電モード、無い場合には走行モードであると判断しても良いし、さらにコネクタ３４への接続の有無に加えて車両のシフトレンジがパーキングレンジであるか否かを組合せて判断しても良い。
【００８２】
ステップＳ２２において、動作モードが走行モードであると判断された場合にはステップＳ２３に処理が進み、走行モードでないと判断された場合にはステップＳ２５に処理が進む。
【００８３】
ステップＳ２３に処理が進んだ場合、リレーＲＡ１がオン状態に制御され、続いてステップＳ２４において走行モードの制御を制御装置３０Ａは実行する。走行モードの制御では、たとえば、インバータ２の各相アームをＰＷＭ制御によりオン・オフさせ、モータ８を回転させる。
【００８４】
ステップＳ２２からステップＳ２５に処理が進んだ場合、ステップＳ２５では、動作モードがＤＣ充放電モードであるか否かが判断される。
【００８５】
ステップＳ２５において、動作モードがＤＣ充放電モードであると判断された場合にはステップＳ２６に処理が進み、ＤＣ充放電モードでないと判断された場合にはステップＳ３３に処理が進む。
【００８６】
ステップＳ２６に処理が進んだ場合、外部電圧Ｖｄｃと電池電圧Ｖｂとの大小を判断する。Ｖｄｃ＞Ｖｂであると判断された場合には、ステップＳ２７に処理が進み、Ｖｄｃ＞Ｖｂが成立しなかった場合には、ステップＳ３０に処理が進む。
【００８７】
ステップＳ２７に処理が進んだ場合、リレーＲＢ１がオン状態に制御され、続いてステップＳ２８においてリレーＲＢ２およびリレーＲＢ３がオン状態に制御される。そして、ステップＳ２９において制御装置３０ＣはＤＣ充放電モードの制御を実行する。ＤＣ充放電モードの制御では、たとえば、電池４の電圧Ｖｂを直流リンク電圧Ｖｄｃに昇圧してコネクタ３４から出力したり、コネクタ３４に受電した直流リンク電圧Ｖｄｃを降圧して電池４を充電したりするように、インバータ２のＷ相アームＷＡのスイッチング素子１５，１６を相補的にオン・オフさせる。なおスイッチング素子１５，１６は必ずしも相補的にオン・オフさせる必要はなく、一方のみオン・オフさせ、他方は逆並列に接続されているダイオードによって電流を流すようにしても良い。
【００８８】
一方、ステップＳ２６からステップＳ３０に処理が進んだ場合、リレーＲＡ１がオン状態に制御され、続いてステップＳ３１においてリレーＲＣ１およびリレーＲＢ３がオン状態に制御される。そして、ステップＳ３２において制御装置３０ＣはＤＣ充放電モードの制御を実行する。ＤＣ充放電モードの制御では、たとえば、電池４の電圧Ｖｂを直流リンク電圧Ｖｄｃに降圧してコネクタ３４から出力したり、コネクタ３４に受電した直流リンク電圧Ｖｄｃを昇圧して電池４を充電したりするように、インバータ２のＶ相アームＶＡのスイッチング素子１３，１４を相補的にオン・オフさせる。なおスイッチング素子１５，１６は必ずしも相補的にオン・オフさせる必要はなく、一方のみオン・オフさせ、他方は逆並列に接続されているダイオードによって電流を流すようにしても良い。
【００８９】
なお、ステップＳ２５からステップＳ３３に処理が進んだ場合には、マイルームモードの制御が実行される。マイルームモードは、走行せず外部に充放電しない状態でオーディオ機器やエアコンなどの補機が使用可能に設定される。
【００９０】
ステップＳ２４，Ｓ２９，Ｓ３２，Ｓ３３のいずれかの処理が終了すると、ステップＳ３４においてこのフローチャートの処理は終了となる。
【００９１】
実施の形態３の車両の電源装置は、実施の形態１，２の車両の電源装置が奏する効果に加えて、電池電圧Ｖｂと直流リンク電圧Ｖｄｃの大小関係が逆転しうる場合であっても制御装置３０Ｂ，３０Ｃが大小関係を判断して適切な回路構成に変更し電圧変換動作を実行する。これによって電池電圧Ｖｂと直流リンク電圧Ｖｄｃの大小関係が逆転しうる場合であっても、適切に車両の電池４に充電を行なうことができ、また車両の電池４から電力を外部に取り出すことができる。
【００９２】
［他の変形例］
以下に、直流充放電の電力を大容量化するための変形例について説明する。
【００９３】
図８は、電力を大容量化するための第１の変形例の構成を示した回路図である。
図８に示した車両の電源装置１０Ｄは、図２に示した車両の電源装置１０に加えて、ノードＮ１と電力線ＰＬ４との間に直列に接続されたコイルＬ４およびリレーＲＢ４をさらに含む。車両の電源装置１０Ｄの他の構成は図２で説明した車両の電源装置１０と同様であるので、説明は繰返さない。
【００９４】
車両の電源装置１０Ｄは、図２で示した電源装置１０の２倍の電流を流すことが可能となる。また、電流が少ない場合にリレーＲＢ１，ＲＢ４のうち一方のみをオン状態とし、大電流が必要とされる場合にリレーＲＢ１，ＲＢ４の両方をオン状態として、電流に応じて回路構成を変更しても良い。
【００９５】
なお図８の構成の場合に、ノードＮ２とＶ相コイルとを接続する経路上にさらにリレーを追加して設けて、Ｖ相コイルをノードＮ２から切り離すことができる構成としても良い。
【００９６】
図９は、電力を大容量化するための第２の変形例の構成を示した回路図である。
図９に示した車両の電源装置１０Ｅは、図２に示した車両の電源装置１０に加えて、ノードＮ１とノードＮ３との間に接続されたリレーＲＢ５をさらに含む。車両の電源装置１０Ｅの他の構成は図２で説明した車両の電源装置１０と同様であるので、説明は繰返さない。
【００９７】
図９に示す例が有効であるのは、コイルＬ１が流せる許容電流に対してインバータ２のスイッチング素子の１つあたりの許容電流が小さい場合である。このような場合にはリレーＲＢ５を導通させてコイルＬ１に対してＷ相アームＷＡとＵ相アームＵＡとを並列的に接続し、２つのスイッチング素子を同時にオン・オフさせるようにすれば良い。なお、Ｕ，Ｖ，Ｗ相アームのうちから複数アームを選択するのであれば他の組合せであっても構わない。
【００９８】
図１０は、電力を大容量化するための第３の変形例の構成を示した回路図である。
図１０に示した車両の電源装置１０Ｆは、図４に示した車両の電源装置１０Ａに加えて、ノードＮ２とノードＮ３との間に接続されたリレーＲＣ２をさらに含む。車両の電源装置１０Ｆの他の構成は図４で説明した車両の電源装置１０Ａと同様であるので、説明は繰返さない。
【００９９】
図１０に示す例が有効であるのは、図９と同様、コイルＬ１が流せる許容電流に対してインバータ２のスイッチング素子の１つあたりの許容電流が小さい場合である。このような場合にはリレーＲＣ１を導通させてコイルＬ２に対してＷ相アームＷＡとＶ相アームＶＡとを並列的に接続し、２つのスイッチング素子を同時にオン・オフさせるようにすれば良い。なお、Ｕ，Ｖ，Ｗ相アームのうちから複数アームを選択するのであれば他の組合せであっても構わない。
【０１００】
なお、本実施の形態ではスイッチの一例としてリレーを使用した形態を示したが、リレーに代えてたとえば半導体電力素子などの他のスイッチを用いてもよい。また、スイッチを設ける位置については種々の変更が考えられる。たとえば、リアクトルの電流を遮断できるのであれリアクトルの反対側にリレーの位置を変更しても良い。
【０１０１】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１０２】
１  車両、２  インバータ、３，３Ａ，３Ｂ，３Ｃ  接続切換部、４，１０６  電池、７  駆動輪、８  モータ、１０，１０Ａ〜１０Ｆ  電源装置、１１〜１６  スイッチング素子、Ｌ１，Ｌ２，Ｌ４，Ｌ１２  コイル、２１〜２６  ダイオード、３０，３０Ａ〜３０Ｃ  制御装置、３４，１３４  コネクタ、１０２  商用交流電源、１０４  パワーコンディショナー、１２２  トランス、１２６  ＰＶ−コンバータ、１２８  コンデンサ、１３０，１３２，ＲＡ１，ＲＡ２，ＲＢ１〜ＲＢ５，ＲＣ１，ＲＣ２  リレー、２０２  電流センサ、ＮＬ，ＮＬ２，ＮＬ３，ＮＬ４，ＰＬ，ＰＬ２，ＰＬ３，ＰＬ４  電力線、ＵＡ，ＶＡ，ＷＡ  アーム。
【図１】
2012157116.tif 000003
【図２】
2012157116.tif 000004
【図３】
2012157116.tif 000005
【図４】
2012157116.tif 000006
【図５】
2012157116.tif 000007
【図６】
2012157116.tif 000008
【図７】
2012157116.tif 000009
【図８】
2012157116.tif 000010
【図９】
2012157116.tif 000011
【図１０】
2012157116.tif 000012
【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
蓄電装置と、
車両外部から直流電圧を受電可能なコネクタと、
回転電機を運転するためのインバータと、
前記回転電機のステータコイルとは別に設けられたコイルと、
前記蓄電装置、前記コネクタ、前記インバータ及び前記コイルの接続関係を切換える接続切換部とを備え、
前記接続切換部は、第１の動作モードでは、前記コイルを使用せずに前記蓄電装置の電力が前記インバータに供給され前記回転電機を駆動可能なように接続関係が設定され、第２の動作モードでは、前記コイルおよび前記インバータを使用して直流−直流電圧変換回路を構成し前記コネクタで受電した直流電圧と前記蓄電装置の電圧との間で電圧変換が可能なように接続関係が設定される、車両の電源装置。
【請求項２】
前記インバータに電力を供給する正電力線および負電力線をさらに備え、
前記インバータは、
前記正電力線と前記負電力線との間に並列的に接続される複数相のアームを含み、
前記複数相のアームの各々は、
前記正電力線と前記負電力線との間に直列に接続される第１および第２のスイッチング素子を有し、
前記接続切換部は、前記第２の動作モードにおいて導通すると、前記コイルの一方端が前記複数相のアームのうちの第１アームの前記第１および第２のスイッチング素子の中間ノードに接続され、前記コイルの他方端が前記蓄電装置または前記コネクタに接続された状態となる第１のスイッチを含み、
前記第１のスイッチが、前記第１の動作モードにおいて非導通となると、前記コイルは前記直流−直流電圧変換回路を構成しない状態となる、請求項１に記載の車両の電源装置。
【請求項３】
前記第１のスイッチは、前記コイルの他方端と前記蓄電装置の正極との間に設けられ、
前記接続切換部は、
前記正電力線と前記蓄電装置の正極との間に設けられる第２のスイッチをさらに含み、
前記車両の電源装置は、
前記第１の動作モードにおいて前記第１のスイッチをオフ状態に制御するとともに前記第２のスイッチをオン状態に制御し、前記第２の動作モードにおいて前記第１のスイッチをオン状態に制御するとともに前記第２のスイッチをオフ状態に制御する制御装置をさらに備える、請求項２に記載の車両の電源装置。
【請求項４】
前記接続切換部は、
前記正電力線と前記コネクタの正極端子との間に設けられた第３のスイッチと、
前記負電力線と前記コネクタの負極端子との間に設けられた第４のスイッチとをさらに含み、
前記制御装置は、前記第２の動作モードにおいて前記第３および第４のスイッチを導通させる、請求項３に記載の車両の電源装置。
【請求項５】
前記第１のスイッチは、前記コイルの他方端と前記コネクタの正極端子との間に設けられ、
前記車両の電源装置は、
前記第１の動作モードにおいて前記第１のスイッチをオフ状態に制御し、前記第２の動作モードにおいて前記第１のスイッチをオン状態に制御する制御装置をさらに備える、請求項２に記載の車両の電源装置。
【請求項６】
前記接続切換部は、
前記負電力線と前記コネクタの負極端子との間に設けられた第２のスイッチをさらに含み、
前記制御装置は、前記第２の動作モードにおいて前記第２のスイッチを導通させる、請求項５に記載の車両の電源装置。
【請求項７】
前記車両の電源装置は、
前記接続切換部を制御する制御装置をさらに備え、
前記制御装置は、前記コネクタの電圧と前記蓄電装置の電圧とに基づいて前記直流−直流電圧変換回路を昇圧回路として動作させるか降圧回路として動作させるかを切換える、請求項１に記載の車両の電源装置。
【請求項８】
前記制御装置は、前記コネクタの電圧と前記蓄電装置の電圧とに基づいて、前記コイルおよび前記インバータを用いて前記昇圧回路を形成するか前記降圧回路を形成するかを切換える、請求項７に記載の車両の電源装置。
【請求項９】
前記車両の電源装置は、
前記回転電機のステータコイルおよび前記コイルとは別に設けられた第２のコイルと、
前記インバータに電力を供給する正電力線および負電力線とをさらに備え、
前記インバータは、
前記正電力線と前記負電力線との間に並列的に接続される複数相のアームを含み、
前記複数相のアームの各々は、
前記正電力線と前記負電力線との間に直列に接続される第１および第２のスイッチング素子を有し、
前記接続切換部は、
前記第２の動作モードにおいて導通すると、前記コイルの一方端が前記複数相のアームのうちの第１アームの前記第１および第２のスイッチング素子の中間ノードに接続され、前記コイルの他方端が前記蓄電装置に接続された状態となる第１のスイッチと、
前記第２の動作モードにおいて導通すると、前記第２のコイルの一方端が前記複数相のアームのうちの第２アームの前記第１および第２のスイッチング素子の中間ノードに接続され、前記第２のコイルの他方端が前記コネクタに接続された状態となる第２のスイッチとを含み、
前記第１および第２のスイッチは、前記第１の動作モードにおいて非導通となると、前記コイルおよび前記第２のコイルには電流が流れない状態となる、請求項７に記載の車両の電源装置。
【手続補正２】
【補正対象書類名】明細書
【補正対象項目名】００６８
【補正方法】変更
【補正の内容】
【００６８】
車両の電源装置１０Ｂは、さらに、ノードＮ３と電力線ＰＬ４との間に直列に接続されたコイルＬ１２およびリレーＲＢ１と、コイルＬ１２とリレーＲＢ１の接続ノードと電力線ＰＬ３との間に設けられたリレーＲＣ１とを含む。コイルＬ１２とＷ相アームＷＡとによって、電圧コンバータが構成される。リレーＲＢ１は、Ｖｂ＜Ｖｄｃの場合に電池４と車両外部との間で電力授受を行なうときに導通する。リレーＲＣ１は、Ｖｂ＞Ｖｄｃの場合に電池４と車両外部との間で電力授受を行なうときに導通する。
【手続補正３】
【補正対象書類名】明細書
【補正対象項目名】００６９
【補正方法】変更
【補正の内容】
【００６９】
リレーＲＡ１，ＲＡ２，ＲＢ１〜ＲＢ３，ＲＣ１は、制御装置３０Ｂから制御信号を受けて電池４、コネクタ３４、インバータ２及びコイルＬ１２の接続関係を切換える接続切換部３Ｂを構成する。図示しないが、制御装置３０Ｂは、電池４の電圧Ｖｂを検出する電圧センサとコネクタ３４に入力される直流リンク電圧Ｖｄｃを検出する電圧センサから電圧Ｖｂ，Ｖｄｃの測定値を受けてこれらの大小関係を判断し、これに応じて接続切換部３Ｂを切換えて電源装置の回路構成を変更している。なお、電圧センサから測定値が入力されなくても、設定スイッチなどにより制御装置３０Ｂに電圧Ｖｂ，Ｖｄｃの値が入力されても良い。
【手続補正４】
【補正対象書類名】明細書
【補正対象項目名】００７０
【補正方法】変更
【補正の内容】
【００７０】
図５の車両の電源装置１０Ｂでは、電池電圧Ｖｂ＜Ｖｄｃである場合に、走行用インバータ２とコイルＬ１２によって構成される電圧変換回路が電池４からコネクタ３４に電圧を昇圧して供給する。
【手続補正５】
【補正対象書類名】明細書
【補正対象項目名】００８１
【補正方法】変更
【補正の内容】
【００８１】
まずステップＳ２１において、制御装置３０Ｃは、リレーＲＡ２をオン状態に制御する。続いてステップＳ２２において、制御装置３０Ｃは、車両の動作モードは走行モードか否かを判断する。動作モードを判断する方法は種々考えられるが、たとえば、ユーザがモードを指定するスイッチが設けられていて、そのスイッチの設定を読み取るのでも良いし、コネクタ３４への接続が有る場合には充電モード、無い場合には走行モードであると判断しても良いし、さらにコネクタ３４への接続の有無に加えて車両のシフトレンジがパーキングレンジであるか否かを組合せて判断しても良い。
【手続補正６】
【補正対象書類名】明細書
【補正対象項目名】００８３
【補正方法】変更
【補正の内容】
【００８３】
ステップＳ２３に処理が進んだ場合、リレーＲＡ１がオン状態に制御され、続いてステップＳ２４において走行モードの制御を制御装置３０Ｃは実行する。走行モードの制御では、たとえば、インバータ２の各相アームをＰＷＭ制御によりオン・オフさせ、モータ８を回転させる。
【手続補正７】
【補正対象書類名】明細書
【補正対象項目名】００８８
【補正方法】変更
【補正の内容】
【００８８】
一方、ステップＳ２６からステップＳ３０に処理が進んだ場合、リレーＲＡ１がオン状態に制御され、続いてステップＳ３１においてリレーＲＣ１およびリレーＲＢ３がオン状態に制御される。そして、ステップＳ３２において制御装置３０ＣはＤＣ充放電モードの制御を実行する。ＤＣ充放電モードの制御では、たとえば、電池４の電圧Ｖｂを直流リンク電圧Ｖｄｃに降圧してコネクタ３４から出力したり、コネクタ３４に受電した直流リンク電圧Ｖｄｃを昇圧して電池４を充電したりするように、インバータ２のＶ相アームＶＡのスイッチング素子１３，１４を相補的にオン・オフさせる。なおスイッチング素子１３，１４は必ずしも相補的にオン・オフさせる必要はなく、一方のみオン・オフさせ、他方は逆並列に接続されているダイオードによって電流を流すようにしても良い。
【手続補正８】
【補正対象書類名】明細書
【補正対象項目名】００９９
【補正方法】変更
【補正の内容】
【００９９】
図１０に示す例が有効であるのは、図９と同様、コイルＬ２が流せる許容電流に対してインバータ２のスイッチング素子の１つあたりの許容電流が小さい場合である。このような場合にはリレーＲＣ２を導通させてコイルＬ２に対してＷ相アームＷＡとＶ相アームＶＡとを並列的に接続し、２つのスイッチング素子を同時にオン・オフさせるようにすれば良い。なお、Ｕ，Ｖ，Ｗ相アームのうちから複数アームを選択するのであれば他の組合せであっても構わない。
【手続補正９】
【補正対象書類名】明細書
【補正対象項目名】０１００
【補正方法】変更
【補正の内容】
【０１００】
なお、本実施の形態ではスイッチの一例としてリレーを使用した形態を示したが、リレーに代えてたとえば半導体電力素子などの他のスイッチを用いてもよい。また、スイッチを設ける位置については種々の変更が考えられる。たとえば、リアクトルの電流を遮断できるのであればリアクトルの反対側にリレーの位置を変更しても良い。
【国際調査報告】
2012157116.tif 000013
2012157116.tif 000014
2012157116.tif 000015
2012157116.tif 000016
2012157116.tif 000017
2012157116.tif 000018